(57)【要約】【課題】腹部や大腿部、上腕部等の被測定部位の皮下脂肪厚を容易且つ正確に測定できる体組成計を提供する。【解決手段】上に載った被験者の体重を計測する体重計２と、体重計２とは別体の測定ユニット３を備える。測定ユニット３は、被験者の体に接触させて生体インピーダンスを計測するための計測用電極９と、被験者の被測定部位２０の皮下脂肪厚を計測するための皮脂厚計測部１２を備える。体重計２及び測定ユニット３間の通信を行う通信手段を設ける。体重計２や測定ユニット３で計測した計測データに基づいて体組成に関する計測結果を得ると共に該計測結果を表示部１０に表示する制御部を設ける。【選択図】図１
2007330549.tif 000002
【特許請求の範囲】
【請求項１】
上に載った被験者の体重を計測する体重計と、体重計とは別体の測定ユニットを備え、測定ユニットは、被験者の体に接触させて生体インピーダンスを計測するための計測用電極と、被験者の被測定部位の皮下脂肪厚を計測するための皮脂厚計測部を備え、前記体重計及び測定ユニット間の通信を行う通信手段を設け、前記体重計や測定ユニットで計測した計測データに基づいて体組成に関する計測結果を得ると共に該計測結果を表示部に表示する制御部を設けて成ることを特徴とする体組成計。
【請求項２】
前記測定ユニットは、主体を構成するユニット本体と、被験者によって把持される部分となる把持部を備え、該把持部はユニット本体に対して移動可能に設けてあることを特徴とする請求項１に記載の体組成計。
【請求項３】
前記皮脂厚計測部は測定ユニットの主体を構成するユニット本体に対して移動可能に設けてあることを特徴とする請求項１又は請求項２に記載の体組成計。
【請求項４】
前記測定ユニットは、主体を構成するユニット本体と、前記表示部を備え、表示部はユニット本体に対して移動可能に設けてあることを特徴とする請求項１乃至３のいずれか１項に記載の体組成計。
【請求項５】
前記皮脂厚計測部は、被験者の被測定部位に接触させる接触面部と、該接触面部に接触した被験者の被測定部位に光を照射する発光部と、発光部から照射されて被測定部位に当たって反射した光を受光する受光部を備えた光学式の皮脂厚計測部であって、該皮脂厚計測部の接触面部に所定の圧力が加わった際にのみ前記皮脂厚計測部による皮下脂肪厚の計測を可能とする計測制限手段を設けて成ることを特徴とする請求項１乃至４のいずれか１項に記載の体組成計。
【請求項６】
前記通信手段は体重計及び測定ユニット間のデータの通信を無線で行う無線通信手段であることを特徴とする請求項１乃至５のいずれか１項に記載の体組成計。
【発明の詳細な説明】
【技術分野】
【０００１】
本発明は人体の体組成に関する情報を測定するための体組成計に関する。
【背景技術】
【０００２】
従来の体組成計としては例えば特許文献１等に示すように体重計に被験者の生体インピーダンスを計測する計測用電極を設けたインピーダンス測定機能付き体重計があり、これは被験者の体に接触させる計測用電極で被験者の両足間や両手間等に微弱電流を流して生体インピーダンスを測定し、体重計や計測用電極で計測した計測データに基づいて体脂肪率等の体組成に関する計測結果を表示部に表示する。
【０００３】
しかし上記体組成計における計測用電極では、計測した生体インピーダンスから体全体の脂肪量を推定することはできるが、人体における皮下脂肪量と内臓脂肪量を区別した測定できないため、これらに基づいた体組成に関する正確な計測結果が得られない。
【０００４】
また近年、上記インピーダンス測定機能付きの体重計とは別に、被験者の腹部や、上腕部、大腿部等からなる被測定部位の皮下脂肪の厚みを測定する皮下脂肪厚計も利用されており、この皮下脂肪厚計と、インピーダンス測定機能付き体重計との２つの計器を利用して、人体における内臓脂肪量等の体組成に関する計測結果を演算して導き出すことは可能ではあるが、このようにインピーダンス測定機能付き体重計と皮下脂肪厚計の２つの計器を別々に用いて内臓脂肪量等の情報を導き出すことは非常に面倒である。
【０００５】
また例えば特許文献２等には、上記計測用電極と、被験者の皮下脂肪厚を計測する皮脂厚計測部を体重計に一体に設けた体組成計が開示されている。しかしこの体組成計で腹部や大腿部等の皮下脂肪厚を測定するには、被験者は体重計を手に持って被測定部に皮脂厚計測部を当てる等する必要があり、このように重い体重計を手に持って皮下脂肪厚を計測することは困難であるし、またこのような測定では正確に皮下脂肪厚を計測できない。また特に上腕部の皮下脂肪厚を測定するには体重計を片手で持って皮脂厚計測部を該上腕部の裏側等に当てる必要があるが、このような測定は体重計が重いために実際には行うことができない。
【特許文献１】特開２００１−７８９７８号公報
【特許文献２】特開２００３−１５９２２７号公報
【発明の開示】
【発明が解決しようとする課題】
【０００６】
本発明は上記従来の問題点に鑑みて発明したものであって、体重と生体インピーダンスと皮下脂肪厚に基づいた体組成に関する計測結果を測定でき、しかも被験者は腹部や大腿部、上腕部等の被測定部位の皮下脂肪厚を容易且つ正確に測定できる体組成計を提供することを課題とするものである。
【課題を解決するための手段】
【０００７】
上記課題を解決するために本発明に係る体組成計は、上に載った被験者の体重を計測する体重計２と、体重計２とは別体の測定ユニット３を備え、測定ユニット３は、被験者の体に接触させて生体インピーダンスを計測するための計測用電極９と、被験者の被測定部位２０の皮下脂肪厚を計測するための皮脂厚計測部１２を備え、前記体重計２及び測定ユニット３間の通信を行う通信手段を設け、前記体重計２や測定ユニット３で計測した計測データに基づいて体組成に関する計測結果を得ると共に該計測結果を表示部１０に表示する制御部を設けて成ることを特徴とする。このように体重計２と、計測用電極９及び皮脂厚計測部１２を有する測定ユニット３を備えることで、体重と生体インピーダンスと皮下脂肪厚から得られる体組成に関する計測結果を測定できる。しかも計測用電極９と皮脂厚計測部１２は体重計２とは別体の測定ユニット３に設けたので、被験者は体重計２とは別体で軽量の測定ユニット３を保持して皮脂厚計測部１２を腹部や大腿部、上腕部等の被測定部位２０に容易に当てることができ、また正確に当てることができる。
【０００８】
また請求項２は請求項１において、前記測定ユニット３は、主体を構成するユニット本体２２と、被験者によって把持される部分となる把持部８を備え、該把持部８はユニット本体２２に対して移動可能に設けてあることを特徴とする。このようにユニット本体２２に対して移動可能に把持部８を設けることで、把持部８をユニット本体２２に対して移動して持ち易い形態にするなどできる。
【０００９】
また請求項３は請求項１又は請求項２において、前記皮脂厚計測部１２は測定ユニット３の主体を構成するユニット本体２２に対して移動可能に設けてあることを特徴とする。このようにユニット本体２２に対して皮脂厚計測部１２を移動可能に設けることで、皮脂厚計測部１２を被測定部位２０に当てやすい位置に配置する等できる。
【００１０】
また請求項４は請求項１乃至３のいずれかの発明において、前記測定ユニット３は、主体を構成するユニット本体２２と、前記表示部１０を備え、表示部１０はユニット本体２２に対して移動可能に設けてあることを特徴とする。このようにユニット本体２２に対して表示部１０を移動可能に設けることで、測定時に表示部１０を被験者の見やすい位置に配置する等できる。
【００１１】
また請求項５は請求項１乃至４のいずれかの発明において、前記皮脂厚計測部１２は、被験者の被測定部位２０に接触させる接触面部１３と、該接触面部１３に接触した被験者の被測定部位２０に光を照射する発光部１５と、発光部１５から照射されて被測定部位２０に当たって反射した光を受光する受光部１６を備えた光学式の皮脂厚計測部１２であって、該皮脂厚計測部１２の接触面部１３に所定の圧力が加わった際にのみ前記皮脂厚計測部１２による皮下脂肪厚の計測を可能とする計測制限手段を設けて成ることを特徴とする。このように発光部１５及び受光部１６を備えた光学式の皮脂厚計測部１２を備えたものにおいて、皮脂厚計測部１２の接触面部１３に所定の圧力が加わった際にのみ前記皮脂厚計測部１２による皮下脂肪厚の計測を可能とする計測制限手段を設けることで、接触面部１３に所定の圧力が加わって皮下脂肪厚が一定の厚みとなった状態でのみ皮下脂肪厚を測定でき、測定精度が良くなる。
【００１２】
また請求項６は請求項１乃至５のいずれかの発明において、前記通信手段は体重計２及び測定ユニット３間のデータの通信を無線で行う無線通信手段であることを特徴とする。通信手段として測定時等に邪魔になるケーブルを設ける必要がない。
【発明の効果】
【００１３】
本発明では、体重計と、計測用電極及び皮脂厚計測部を有する測定ユニットを備えることで、体重と生体インピーダンスと皮下脂肪厚から得られる体組成に関する計測結果を測定でき、しかも被験者は体重計とは別体で軽量の測定ユニットを保持して皮脂厚計測部を腹部や大腿部、上腕部等の被測定部位に容易に当てることができ、また正確に当てることができて、精度良く測定できる。
【発明を実施するための最良の形態】
【００１４】
以下、本発明を添付図面に示す実施形態に基づいて説明する。図１に示す本実施形態の体組成計１は、上に載った被験者の体重を計測するための体重計２と、体重計２とは別体で体重計２と比べて小型の測定ユニット３を備えている。体重計２と測定ユニット３は体重計２及び測定ユニット３間の通信を行う通信手段としてのケーブル４で接続しており、体重計２と測定ユニット３間での測定データや操作入力の通信はケーブル４を介して行う。なお収納の際に煩わしくないようにケーブル４に替えて自動巻取機構を備えたコードリールやカールコードを用いても良い。
【００１５】
体重計２は、被験者が足を載せるための載置板５と、４隅に脚を備えた裏板１１とで主体が構成されて全体として扁平な略矩形板状に形成されている。載置板５と裏板１１は１又は複数の荷重センサを介して連結材により連結しており、この荷重センサと後述の制御部で体重測定手段を構成している。載置板５の上面部には体重計２側の計測用電極６として前部の両側に電流印加用電極６ａを設けると共に後部の両側に電圧計測用電極６ｂを設けてあり、被験者は両足の足裏における足先側部分を対応する電流印加用電極６ａ上に載せると共に踵側部分を対応する電圧計測用電極６ｂ上に載せた状態で載置板５上に載れるようになっている。また体重計２の載置板５の前端部には測定ユニット３を収納するための収納用段部７を左右方向に亘って設けてあり、収納用段部７には測定ユニット３を収納できるようになっている。なお測定ユニット３は嵌め込み等により体重計２に対して着脱自在となっている。
【００１６】
測定ユニット３は全体として扁平な矩形板状、詳しくは長方形板状に形成してあり、長辺側の一側端面にケーブル４の一端を接続している。測定ユニット３は長手方向の両側端部を把持部８とし、被験者はこの両側の把持部８を夫々の手で把持して両手で測定ユニット３を保持できるようになっている。各把持部８には測定ユニット３側の計測用電極９として、測定ユニット３の一方の長辺側に電流印加用電極９ａを設けると共に他側に電圧計測用電極９ｂを設けてあり、これら測定ユニット３に設けた計測用電極９と体重計２に設けた計測用電極６と制御部で被験者の生体インピーダンスを計測するためのインピーダンス計測手段を構成している。
【００１７】
上記扁平な測定ユニット３における厚み方向の両面のうち、後述の表示部１０を設けた片側の面が表面であり、反対側の面が裏面であるが、図２に示すように測定ユニット３の裏面側の中央部には被験者の被測定部位２０の皮下脂肪厚を計測する皮脂厚計測部１２を設けてあり、該皮脂厚計測部１２と制御部で皮脂厚測定手段を構成している。
【００１８】
皮脂厚測定手段としては光学式のものを採用する。該皮脂厚測定手段を構成する皮脂厚計測部１２は、測定ユニット３の裏面部の中央部分からなる接触面部１３と、接触面部１３に接触した被験者の被測定部位２０に赤外線又は可視光線からなる光を照射する発光部１５と、発光部１５から照射されて被測定部位２０に当たって反射した光を受光する受光部１６とを備えている。受光部１６は発光部１５の近傍に位置している。具体的には、被験者の被測定部位２０に面で接触することとなる接触面部１３に１つの発光部１５と複数（図示例では２つ）の受光部１６を設け、発光部１５と各受光部１６の距離を皮下脂肪厚が０〜６０ｍｍ程度の測定が可能となるように各受光部１６を発光部１５から約１５〜４５ｍｍ離れた位置に配置してあり、また発光部１５として波長８５０ｎｍ付近の近赤外線を発するＬＥＤを用いている。受光部１６を複数設けたのは皮膚の色素の差を補正する等して精度の高い測定をするためである。なお上記接触面部１３を反射率の低い黒色としても良く、この場合、皮下脂肪厚の測定時に外部からの光の影響を受けにくくできる。また接触面部１３は平坦な面であっても良いし、被験者の被測定部位２０に合わせて湾曲した曲面であっても良い。
【００１９】
また図１に示すように測定ユニット３の表面側の中央部には計測結果や入力値等を表示するための表示部１０を設けてあり、この測定ユニット３の表面側の表示部１０と各把持部８の間の部分には、機器の操作や、身長、年齢、性別等の被験者の身体データの入力、表示切替等を行うための操作部２１を設けている。
【００２０】
また演算装置や記憶装置を有する制御部は体重計２に内装している。記憶装置は、体重計２の荷重センサや体重計２及び測定ユニット３の計測用電極６、９で計測した計測データ、年齢や性別毎に予め統計的手法によって導き出した複数の演算式、演算装置で演算した演算値等を記憶するものである。また演算装置は前記計測データ及び演算式に基づいて体組成に関する計測結果を算出するものである。
【００２１】
上記体組成計１を用いて被験者の体組成に関する計測結果を得る場合は、例えば以下に示すように行う。
【００２２】
まず図示しない電源スイッチをオンにして、入力装置を構成する操作部２１により被験者の性別、年齢、身長等の身体データを入力する。入力が完了すると測定準備が完了し、被験者は床に載置した体重計２の載置板５上に各計測用電極６に足裏を接触させた状態で載ると共に、測定ユニット３の両把持部８を両手で把持した状態（即ち各計測用電極９に手を接触させた状態）で測定ユニット３を保持する。これにより荷重センサでは荷重を検出する。また測定ユニット３や体重計２に設けた電流印加用電極６ａ、９ａ間において所定の交流電流が流され、この時の特定の電圧計測用電極６ｂ、９ｂ間に発生する電圧が測定される。そしてこれら荷重センサや計測用電極６、９の測定値（出力値）は演算装置に入力され、体重と生体インピーダンスが求められる。ここで計測用電極６、９によって検出されるインピーダンス値としては、測定ユニット３の計測用電極９を利用して得られる被験者の両手間のインピーダンス値や体重計２の計測用電極６を利用して得られる被験者の両足間のインピーダンス値、また測定ユニット３の計測用電極９と体重計２の電圧計測用電極６を利用して得られる手足間のインピーダンス値等が挙げられる。
【００２３】
次に被験者は皮下脂肪厚測定手段により腹部、大腿部、上腕部等の被測定部位２０の皮下脂肪厚を計測する。皮脂厚計測手段での計測は、把持部８を把持して図３の説明図に示すように測定ユニット３の接触面部１３を被験者の被測定部位２０に接触させた状態で、発光部１５から光を照射すると共に受光部１６で受光情報を検出し、この測定データから制御部が被測定部位２０の皮下脂肪厚を求める。図３の１７、１８、１９は夫々被測定部位２０の表皮、皮下脂肪層、筋肉層を示し、同図に示すように発光部１５から照射した光は皮下脂肪で散乱し、その内側の筋肉で吸収される。従って発光部１５から出た光は皮下脂肪厚が薄い場合は皮膚の表面方向への拡散は少なく、皮膚の表面に戻る光は少なくまた広がりも少ない。このため発光部１５に届く光量は少なくなる。逆に皮下脂肪厚が厚い場合は発光部１５から出た光の散乱が多くなり、皮膚の表面に戻る光も多くなりまた広がりも大きい。このため発光部１５に届く光量は多くなる。つまり皮脂厚計測手段では発光部１５から照射した光の反射を利用して皮下脂肪厚を測定できるようになっている。なお被験者の被測定部位２０が異なると、例えば腹部においては外側から皮膚、皮下脂肪、筋肉、内臓脂肪、内臓があり、大腿部においては外側から皮膚、皮下脂肪、筋肉、骨があるといったように内部構成が異なる。従って演算装置で演算して皮下脂肪厚を算出する際に用いられる演算式は、各被測定部位２０毎に変更できるようにしても良い。
【００２４】
そして上記皮脂厚計測手段による計測が終了すると、制御部は入力された年齢、性別により、複数の演算式の中から演算する演算式を選択し、演算装置により測定した体重、インピーダンス値、入力した身長データを演算式に代入してＢＭＩ、体脂肪率や体脂肪量、内臓脂肪率、皮下脂肪率、筋肉量を演算し、これら測定結果と、前記体重と皮下脂肪厚の直接的な測定結果を表示部１０に表示し、この測定後に電源スイッチを切る。なお測定結果としての内臓脂肪率や皮下脂肪率、筋肉量等は測定した皮下脂肪厚に基づいて補正したものであっても良い。
【００２５】
このように本発明の体組成計１においては、体重計２と、被験者の生体インピーダンスを計測するための計測用電極６、９及び被験者の被測定部位２０の皮下脂肪厚を計測するための皮脂厚計測部１２を有する測定ユニット３を備えることで、体重と生体インピーダンスと皮下脂肪厚から得られる体組成に関する計測結果を測定することができる。しかも計測用電極９と皮脂厚計測部１２は体重計２とは別体の測定ユニット３に設けたので、被験者は体重計２とは別体で軽量の測定ユニット３を保持して皮脂厚計測部１２を腹部や大腿部、上腕部等の被測定部位２０に容易に当てることができ、また正確に当てることができて精度良く測定できる。
【００２６】
また既述した測定ユニット３における把持部８、皮脂厚計測部１２、表示部１０を移動可能に設けても良い。
【００２７】
図４には、測定ユニット３を主体を構成するユニット本体２２と把持部８で構成し、把持部８をユニット本体２２に対して移動可能に設けた例を示している。この例では通信手段としてのケーブル４を設けたユニット本体２２に皮脂厚計測部１２、表示部１０、操作部２１を一体に設け、ユニット本体２２の両側の各把持部８の一端部（ユニット本体の短辺方向における一端部）をユニット本体２２に回動自在に連結し、これにより各把持部８をユニット本体２２の長辺と平行な軸周りにおける任意の回動角度（向き）に変更できるようにしている。
【００２８】
このようにユニット本体２２に対して移動可能に把持部８を設けることで、例えば図１のように測定ユニット３に対して把持部８を回動せずに平行としてコンパクトにした状態としたり、また図４のように腹部を測定する場合に両把持部８をユニット本体２２に対して略垂直となるように回動して測定ユニット３を両手で持ち易い形態にしたり、また上腕部を測定する場合に一方の把持部８のみを測定ユニット３に対して略垂直に回動して測定ユニット３を片手で持ち易い形態としたりでき、またこれにより測定時には測定ユニット３の皮脂厚計測部１２を対向する被測定部位２０に容易に当接でき、また表示部１０を被験者にとって見えやすい位置に配置できる。
【００２９】
図５には、測定ユニット３を主体を構成するユニット本体２２と皮脂厚計測部１２で構成し、皮脂厚計測部１２をユニット本体２２に対して移動可能に設けた例を示している。この例では通信手段としてのケーブル４を設けたユニット本体２２に、把持部８、表示部１０、操作部２１を一体に設け、ユニット本体２２の裏面中央部に計測部用凹部２３を形成し、該計測部用凹部２３内に収納可能とした皮脂厚計測部１２の一端部をユニット本体２２の一方の長辺側の端部に回動自在に連結し、これにより皮脂厚計測部１２をユニット本体２２の長辺と平行な軸周りにおける任意の回動角度（向き）に変更できるようにしている。
【００３０】
このようにユニット本体２２に対して移動可能に皮脂厚計測部１２を設けることで、例えば測定ユニット３に対して皮脂厚計測部１２を回動せずに平行としてコンパクトにした図１の状態としたり、また図５のように測定時に皮脂厚計測部１２をユニット本体２２に対して略垂直となるように回動して、片面に受光部１６及び発光部１５を設けた皮脂厚計測部１２の向きを被測定部位２０に当てやすい向きにしたりできる。なおこの皮脂厚計測部１２をユニット本体２２と平行にした状態では皮脂厚計測部１２の片面は測定ユニット３の表面の一部を構成するものである。
【００３１】
また図６には、測定ユニット３を、主体を構成するユニット本体２２と表示部１０で構成し、表示部１０をユニット本体２２に対して移動可能に設けた例を示している。この例では通信手段（ケーブル４）を設けたユニット本体２２に、把持部８、皮脂厚計測部１２を一体に設け、ユニット本体２２の裏面中央部に表示部用凹部２４を形成し、操作部２１を一体に設けた表示部１０を表示部用凹部２４内に収納可能とし、該表示部１０の一端部をユニット本体２２の長辺側の端部に回動自在に連結し、これにより表示部１０をユニット本体２２の長辺と平行な軸周りにおける任意の回動角度（向き）に変更できるようにしている。
【００３２】
このようにユニット本体２２に対して移動可能に表示部１０を設けることで、例えば測定ユニット３に対して表示部１０を回動せずに平行としてコンパクトにした図１の状態としたり、また図６のように測定時に表示部１０をユニット本体２２に対して略垂直となるように回動して表示部１０の向きを被験者の見やすい向きにしたりできる。
【００３３】
なお図４〜図６に示す把持部８、皮脂厚計測部１２、表示部１０はユニット本体２２に対して回動するものだけに限られず、例えばユニット本体２２に対してスライド移動するものや、ユニット本体２２に対してスライド移動及び回動するものなどであっても良く、即ち把持部８、皮脂厚計測部１２、表示部１０はユニット本体２２に対して移動可能であれば良い。また上記図４〜６の実施形態ではユニット本体２２に対して把持部８、皮脂厚計測部１２、表示部１０のいずれかのみ移動可能としたが、これらのうち２又３の部位をユニット本体２２に対して移動可能にしても良い。
【００３４】
また上記いずれの実施形態においても、図７に示すように略平坦な接触面部１３に外面側に突となる突部３０を設け、発光部１５及び受光部１６を突部３０の突端面から露出するように配置することが好ましい。
【００３５】
図７の例では円形の接触面部１３の中央部に接触面部１３の径方向（詳しくは測定ユニット３の短辺方向）に長い直線状の突部３０を設け、突部３０に接触面部１３の厚み方向に貫通する孔３１を複数形成し、各孔３１に基板２５に設けた発光部１５及び受光部１６を収納し、これにより発光部１５や受光部１６を外面側から照射又は受光できるように露出している。従って発光部１５から照射した光は各孔３１から照射され各孔３１に配した受光部１６で受光される。また図７の例では円形の接触面部１３の周縁部の全周に亘って外面側に突出する環状の突起３２を設けている。なお突部３０と突起３２の突出長さは略同じで共に平坦な接触面部１３から５ｍｍ程度突出している。
【００３６】
このように突部３０を設け、発光部１５及び受光部１６を突部３０から露出するように配置することで、突部３０を接触面部１３と共に被験者の被測定部位２０に押し当てた際には、小さな力で突部３０を被測定部位２０に食い込ませることができて、突部３０により発光部１５からの光が外部に漏れたり、受光部１６にノイズとなる外部からの光が入ったりすることを防止でき、皮下脂肪厚の測定の精度が良くなる。
【００３７】
また上記のように突部３０に加えて、接触面部１３の周縁部に突起３２を設けることで、接触面部１３が被測定部位２０の面に対して若干傾いた状態で押し当てられた場合にも、被測定部位２０の外周部を突起３２で全周に亘って押圧でき、これにより被測定部位２０を均一な厚みで押圧できて皮下脂肪厚の測定の精度が良くなる。なお上記図７に示す突起３２を設けず、図９に示すように接触面部１３から突部３０のみを突出しても良いものとする。
【００３８】
また上記いずれの実施形態においても、皮脂厚計測部１２の接触面部１３に所定の圧力が加わった際にのみ皮脂厚計測部１２による皮下脂肪厚の計測を可能とする計測制限手段を設けても良い。
【００３９】
図８は計測制限手段を設けた例であり、この例では測定ユニット３の主体を構成するユニット本体２２に対して皮脂厚計測部１２を測定ユニット３の厚み方向において移動自在に設けている。皮脂厚計測部１２は接触面部１３で外面側が覆われた基板２５を備えて、基板２５に設けた発光部１５及び受光部１６は接触面部１３を介して露出している。基板２５にはスイッチ２６を設けてあり、またユニット本体２２のスイッチ２６に対応する箇所にはスイッチ接触部２７を設けている。ユニット本体２２と皮脂厚計測部１２の基板２５はばね２８により接続している。ばね２８は皮脂厚計測部１２に外力が加わっていない状態ではスイッチ接触部２７がスイッチ２６に接触しないように皮脂厚計測部１２を支持しており、ばね２８に抗して皮脂厚計測部１２の接触面部１３を一定の圧力以上の力でユニット本体２２側に押し込むことでスイッチ接触部２７がスイッチ２６に接触するように設定してある。そしてスイッチ接触部２７がスイッチ２６に接触した状態で発光部１５及び受光部１６による皮下脂肪厚の測定を可能とすると共に、スイッチ接触部２７がスイッチ２６に接触しない状態では発光部１５及び受光部１６による皮下脂肪厚の測定を行わないように設定してある。つまり図８の例では、ユニット本体２２に対して移動可能に設けた皮脂厚計測部１２、スイッチ２６、スイッチ接触部２７、ばね２８等が計測制限手段を構成している。
【００４０】
このように計測制限手段を設けることで、皮脂厚計測部１２の接触面部１３に所定の圧力が加わった際にのみ皮脂厚計測部１２による皮下脂肪厚の計測を行うことができ、これにより被測定部位２０の皮下脂肪厚を精度良く測定できる。つまり皮脂厚計測部１２の接触面部１３を被測定部位２０に押し当てた時、その圧力が大きくなるにつれて脂肪層が圧縮されて脂肪層の厚みが薄くなり、この厚みはある値で略収束するのだが、ここで皮下脂肪の厚みが収束する時の圧力値を所定値として、該所定値以上の圧力でのみ接触面部１３が押圧された場合にのみ測定を行えるようにすると、測定値が安定し、再現性も向上し、これにより精度良く測定できるのである。なお図８では図７の実施形態と同様に突部３０及び突起３２を設けたが、これら突部３０及び突起３２は設けなくても良い。さらには上記のように皮脂厚計測部１２の接触面部１３に所定の圧力が加わった際に測定可能であることを報知するランプやブザー等からなる報知手段を設けても良いし、またこの際、操作部２１を操作することなく自動で皮下脂肪厚の測定を開始しても良い。また計測制限手段としては上記に限定されるものではなく、接触面部１３にかかる圧力を測定する圧力センサを利用した計測制限手段であっても良い。
【００４１】
また上記いずれの実施形態においても、通信手段を有線のケーブル４としたが、体重計２と測定ユニット３の測定データとなる測定信号の授受ができれば通信手段は無線で通信を行う無線通信手段であっても良く、この場合は測定時に邪魔になるケーブル４等を設ける必要がない。また皮脂厚計測部１２は測定ユニット３の裏面側に設けたが、側面に設けても良いものとする。
【図面の簡単な説明】
【００４２】
【図１】本発明の実施の形態の一例を示す体組成計の斜視図である。
【図２】同上の測定ユニットを裏面側から見た斜視図である。
【図３】光学式の皮脂厚測定手段の説明図である。
【図４】他例の測定ユニットを裏面側から見た斜視図である。
【図５】更に他例の測定ユニットを裏面側から見た斜視図である。
【図６】更に他例の測定ユニットを表面側から見た斜視図である。
【図７】同上の測定ユニットの接触部付近の斜視図である。
【図８】更に他例の測定ユニットの接触部付近の断面図である。
【図９】更に他例の測定ユニットの接触部付近の斜視図である。
【符号の説明】
【００４３】
１  体組成計
２  体重計
３  測定ユニット
８  把持部
９  計測用電極
１０  表示部
１２  皮脂厚計測部
１５  発光部
１６  受光部
２０  被測定部位
２２  ユニット本体
【図１】
2007330549.tif 000003
【図２】
2007330549.tif 000004
【図３】
2007330549.tif 000005
【図４】
2007330549.tif 000006
【図５】
2007330549.tif 000007
【図６】
2007330549.tif 000008
【図７】
2007330549.tif 000009
【図８】
2007330549.tif 000010
【図９】
2007330549.tif 000011